(57)【要約】  操作パネル装置は、操作リングと、操作リングの背面に対向するように配置された表示装置とを有する。表示装置は第１部分と、第２部分と、第３部分とを有する。第１部分は操作リングの内側に位置し、第２部分は操作リングの外側に位置する。第３部分は第１部分と第２部分とを繋いでいる。第１部分の表示は、操作リングへの回転操作に連動して変化する。
2015056437.tif 000002
【特許請求の範囲】
【請求項１】
操作可能な表面と、前記表面の裏側の背面とを有する操作リングと、
前記操作リングの内側に位置する第１部分と、前記操作リングの外側に位置する第２部分と、前記第１部分と前記第２部分とを繋ぐ第３部分とを有し、前記操作リングの背面に対向するように配置された表示装置と、を備え、
前記第１部分の表示が、前記操作リングへの回転操作に連動して変化する、
操作パネル装置。
【請求項２】
前記操作リングは複数の操作リングの１つであり、前記複数の操作リングを備えた、
請求項１記載の操作パネル装置。
【請求項３】
前記操作リングは、
リング状で、前記表示装置に対向する面には全周に亘るガイド溝が設けられた回転部と、
リング状の平板部と、前記平板部の全周に亘って、前記平板部から突出して前記ガイド溝内に位置するガイドレール部とを有する固定部と、
前記回転部の前記ガイド溝の内周壁と前記固定部の前記ガイドレール部の内周壁との間に収納され、前記回転部に接するボールと、
前記固定部の前記ガイドレール部の前記内周壁と前記ボールとの間に収納され、前記固定部に接する第１端と、前記ボールに接する第２端とを含む弾性体と、を有し、
前記回転部の前記ガイド溝の前記内周壁には全周に亘って凹凸が繰り返される節度山部が設けられ、前記弾性体は前記ボールを前記節度山部に対し押し当てている、
請求項１記載の操作パネル装置。
【請求項４】
前記操作リングの回転操作を判定する回転検出センサをさらに備えた、
請求項１記載の操作パネル装置。
【請求項５】
前記回転検出センサは、フォトセンサ、磁界センサ、静電センサのいずれかを有する、
請求項４記載の操作パネル装置。
【請求項６】
前記回転検出センサは、少なくとも二つの磁界センサを備え、前記磁界センサの入力の差異に基づき前記操作リングの回転操作を判定する、
請求項４記載の操作パネル装置。
【請求項７】
前記回転検出センサの出力に基づき、前記第１部分の表示を変化させる制御回路をさらに備えた、
請求項４記載の操作パネル装置。
【発明の詳細な説明】
【技術分野】
【０００１】
本発明は、主にエアコンやオーディオ等の設定に用いる操作パネル装置に関する。
【背景技術】
【０００２】
車両のエアコンやオーディオ等を制御するため、操作パネル装置が一般的に用いられている。ユーザはこの装置における操作パネルに設けられたボタンを用いて操作パネル上の表示を変更することができる。このような操作パネル装置には、操作しやすさと高い視認性が求められている。【０００３】
従来の操作パネル装置２０について、図９を参照しながら説明する。図９は操作パネル装置２０の平面図である。操作パネル装置２０は、操作リング１１、押圧パネル１２Ａ〜１２Ｄ、照光部１３、アイコン１４Ａ〜１４Ｄ、表示装置１５を有する。【０００４】
操作リング１１は押圧操作及び回転操作可能で、例えばユーザが回転操作することにより、車両のエアコンの設定温度を上下させることができる。【０００５】
押圧パネル１２Ａ〜１２Ｄの下にはプッシュスイッチ（図示せず）が配置され、押圧パネル１２Ａ〜１２Ｄのいずれが押圧されたかを判定可能となっている。押圧パネル１２Ａ〜１２Ｄは、照光部１３に配置されたアイコン１４Ａ〜１４Ｄに対応している。例えば、ユーザが押圧パネル１２Ａ〜１２Ｄのいずれかを押圧すると、対応するアイコン１４Ａ〜１４Ｄのいずれかの下の発光素子（図示せず）が発光する。そのため、対応するアイコン１４Ａ〜１４Ｄが照光され、ユーザはどれが選択されたか容易に視認できる。【０００６】
図９に示す例では、ユーザが押圧パネル１２Ａ〜１２Ｄを操作すると、車両のエアコンが制御される。例えば、押圧パネル１２Ａを押圧すると、車両のウィンドのヒーターがＯＮ（アイコン１４Ａ）になる。押圧パネル１２Ｂを押圧すると、車両の内外気切り替えが制御（アイコン１４Ｂ）される。押圧パネル１２Ｃを押圧すると、車両のエアコンの自動制御がＯＮ（アイコン１４Ｃ）になる。押圧パネル１２Ｄを押圧すると、車両のエアコンの自動制御がＯＦＦ（アイコン１４Ｄ）になる。【０００７】
表示装置１５は液晶ディスプレイ等で構成され、通常状態では現在のエアコンの設定を表示しており、ユーザが操作リング１１を押圧すると、設定温度を変更するための画面表示に変化する。そして、操作リング１１を右に回転するとエアコンの設定温度が上がり、操作リング１１を左に回転するとエアコンの設定温度が下がる（例えば、特許文献１）。
【先行技術文献】
【特許文献】
【０００８】
【特許文献１】特開２００６−２０５７５３号公報
【発明の概要】
【０００９】
本発明はユーザ（搭乗者）が操作しやすく視認性の高い操作パネル装置である。
【００１０】
本発明の操作パネル装置は、操作リングと、表示装置とを有する。操作リングは操作可能な表面と、この表面の裏側の背面とを有する。表示装置は第１部分と、第２部分と、第３部分とを有し、操作リングの背面に対向するように配置されている。第１部分は操作リングの内側に位置し、第２部分は操作リングの外側に位置する。第３部分は第１部分と第２部分とを繋いでいる。第１部分の表示は、操作リングへの回転操作に連動して変化する。
【００１１】
この構成により、第１部分は操作リング内に大きく表示されるため、搭乗者が操作リングを操作しやすく、表示装置の視認性が高い。
【図面の簡単な説明】
【００１２】
【図１】図１は本発明の実施の形態による操作パネル装置の分解斜視図である。
【図２】図２は図１に示す操作パネル装置の平面図である。
【図３】図３は図１に示す操作パネル装置における操作リングの分解破断斜視図である。
【図４】図４は図３に示す回転部の破断斜視図である。
【図５】図５は図２に示す操作パネル装置の配置を示す図である。
【図６】図６は本発明の実施の形態による他の操作パネル装置の分解斜視図である。
【図７】図７は図６に示す操作パネル装置における回転部の破断斜視図である。
【図８】図８は図７に示す着磁プレートの着磁状態を示す図である。
【図９】図９は従来の操作パネル装置の平面図である。
【発明を実施するための形態】
【００１３】
本発明の実施の形態の説明に先立ち、図９に示す従来の操作パネル装置２０における課題を簡単に説明する。前述のように、操作リング１１の内側には照光部１３が配置されている。また操作リング１１の周囲には押圧パネル１２Ａ〜１２Ｄが配置されている。このような配置において、照光部１３の下方に配置された複数の発光素子の光がアイコン１４Ａ〜１４Ｄへ届くよう、表示装置１５は発光素子の間に配置されている。したがって、表示装置１５は発光素子や押圧パネル１２Ａ〜１２Ｄの下方に配置された押圧スイッチを避けるために小型にする必要があり、ユーザは表示装置１５に表示された内容を見難い場合がある。
【００１４】
以下、ユーザ（搭乗者）が操作しやすく視認性の高い、本発明の実施の形態による操作パネル装置について、図面を参照しながら説明する。図１、図２はそれぞれ、本発明の実施の形態による操作パネル装置の分解斜視図と平面図である。操作パネル装置１００は、操作リング２１、２２と、パネル２３と、表示装置２４と、回路基板２５とを有する。
【００１５】
操作リング２１は回転部３１と、ボール３２Ａ、３２Ｂと、弾性体であるバネ３３Ａ、３３Ｂと、固定部３４とを有する。同様に、操作リング２２は、回転部４１と、ボール４２Ａ、４２Ｂと、バネ４３Ａ、４３Ｂと、固定部４４とを有する。操作リング２１と操作リング２２は同様の構成であるので、以下、操作リング２１の構成を説明する。なお回転部３１の上面はユーザによって操作可能である。また固定部３４の下面はパネル２３を介して表示装置２４に対向している。すなわち、操作リング２１の上面はユーザによって操作可能な表面であり、この表面の裏側の下面は表示装置２４に対向する背面である。
【００１６】
次に、図３、図４を参照しながら操作リング２１の構成を説明する。図３は操作リング２１の分解破断斜視図、図４は回転部３１の破断斜視図である。図７は回転部３１を下方から見た斜視図である。
【００１７】
回転部３１はリング状で、表示装置２４に対向する下面には全周に亘りガイド溝３１Ａが形成されている。またガイド溝３１Ａの内周壁の全周に亘って凹凸が繰り返される節度山部３１Ｂが設けられている。また、節度山部３１Ｂの凹凸の一周期ごとに、節度山部３１Ｂの下面に窪み３１Ｃが設けられている。
【００１８】
固定部３４はリング状の平板部３４Ａと、ガイドレール部３４Ｂとを有する。ガイドレール部３４Ｂは、平板部３４Ａの全周に亘って平板部３４Ａから突出し、回転部３１のガイド溝３１Ａ内に位置している。平板部３４Ａには、孔３４Ｃが設けられている。固定部３４と回転部３１を組み合わせた状態で、回転部３１を回転させた際に孔３４Ｃは、窪み３１Ｃの下方を通過する位置に設けられている。
【００１９】
また、ガイドレール部３４Ｂには、内周から外周方向へ窪んだ窪み３４Ｄが設けられている。窪み３４Ｄにはボール３２Ａとバネ３３Ａが収納されている。また窪み３４Ｄの、平板部３４Ａの中心を挟んでボール３２Ａとバネ３３Ａと対向する位置には、ボール３２Ｂとバネ３３Ｂが収納されている。
【００２０】
そして、固定部３４は回転部３１に対し、ガイドレール部３４Ｂをガイド溝３１Ａに挿入して組み合わされている。
【００２１】
バネ３３Ａはボール３２Ａの外周側に配置され、バネ３３Ａの第１端が固定部３４に接している。またバネ３３Ａの第２端はボール３２Ａに接している。バネ３３Ａの弾性力によりボール３２Ａは節度山部３１Ｂに押し当てられる。また、バネ３３Ｂも同様にボール３２Ｂの外周側に配置され、バネ３３Ｂの弾性力によりボール３２Ｂは節度山部３１Ｂに押し当てられる。これにより、回転部３１を回転させると、ボール３２Ａ、３２Ｂが節度山部３１Ｂの連続する凹凸を乗り越えるので、節度感が生じる。
【００２２】
すなわち、ボール３２Ａは回転部３１のガイド溝３１Ａの内周壁と固定部３４のガイドレール部３４Ｂの内周壁との間に収納され、回転部３１に接している。バネ３３Ａはガイドレール部３４Ｂの内周壁とボール３２Ａとの間に収納され、固定部３４に接する第１端と、ボール３２Ａに接する第２端とを含む。そしてバネ３３Ａはボール３２Ａを節度山部３１Ｂに対し押し当てている。ボール３２Ｂとバネ３３Ｂについても同様である。
【００２３】
なお、ボール３２Ａとバネ３３Ａの組、或いはボール３２Ｂとバネ３３Ｂの組のいずれかがあれば、節度感を生じさせることができるので、必ずしも双方の組を用いる必要は無い。また、バネ３３Ａ、３３Ｂに代えてゴムやスポンジなどの他の弾性体を用いることも可能である。
【００２４】
パネル２３は絶縁樹脂等で形成され、中央には表示装置２４を配置するための孔２３Ｊが設けられている。また、孔２３Ｊの周囲には上面に所定の意匠が施された押圧パネル２３Ａ〜２３Ｉが配置されている。
【００２５】
表示装置２４は、液晶ディスプレイや有機ＥＬ（ｅｌｅｃｔｒｏｌｕｍｉｎｅｓｃｅｎｃｅ）ディスプレイ等のディスプレイ６１と、ディスプレイ６１の上面に配置されたカバーレンズ６２とで構成されている。また表示装置２４は、操作リング２１の内側に位置する第１部分６１Ａと、操作リング２１の外側に位置する第２部分６１Ｂと、第１部分６１Ａと第２部分６１Ｂとを繋ぐ第３部分６２Ｂとを有する。第１部分６１Ａ、第２部分６１Ｂ、第３部分６２Ｂは一体に形成されているが別々に形成されていてもよい。言い換えると表示装置２４は、第１部分６１Ａと、第２部分６１Ｂと、第１部分６１Ａと第２部分６１Ｂの間の第３部分６２Ｂとを有する。
【００２６】
また操作リング２２の内側に位置する第１部分６１Ｃと、第１部分６１Ｃと第２部分６１Ｂとを繋ぐ第３部分６２Ａとを有する。第２部分６１Ｂは操作リング２２の外側にも位置している。そして、表示装置２４は操作リング２１、２２の背面に対向するように配置されている。
【００２７】
第３部分６２Ａ、６２Ｂはカバーレンズ６２に設けられた円弧状の溝の部分である。第３部分６２Ａ、６２Ｂの溝上にそれぞれ操作リング２１及び操作リング２２が配置されている。この構成により操作リング２１、２２に対する表示装置２４の位置がより固定されると共に、表示装置２４と操作リング２１、２２との一体感が高まっている。
【００２８】
また、表示装置２４は孔２３Ｊに挿入され、操作リング２１、２２をそれぞれ跨ぐように配置されている。表示装置２４が操作リング２１の内外を跨いで配置されるため、操作リング２１内の表示面積を大きくすることができる。すなわち、第１部分６１Ａの表示面積を大きくすることができる。同様に、表示装置２４が操作リング２２の内外を跨ぐように配置されているため、操作リング２２内の表示面積を大きくすることができる。すなわち、第１部分６１Ｃの表示面積を大きくすることができる。また、操作リング２１内の第１部分６１Ａ、操作リング２２内の第１部分６１Ｃ、及び操作リング２１と操作リング２２の間の第２部分６１Ｂを、第３部分６２Ａ、６２Ｂで繋いで一つのディスプレイ６１に構成することができる。
【００２９】
回路基板２５には、固定部３４の孔３４Ｃの下方に対応する位置に反射型のフォトセンサ５１が配置されている。回転部３１を回転させると、節度山部３１Ｂの凹凸の一周期ごとに配置された複数の窪み３１Ｃがフォトセンサ５１の上方を通過する。そして、回転部３１を回転するとフォトセンサ５１の出力信号が変化し、回転部３１の回転を検出できる。なお、回路基板２５には、回転部４１の回転を検出するためのフォトセンサ５２も設けられている。
【００３０】
回路基板２５には、上述のフォトセンサ５１、５２のほか、プッシュスイッチ５３Ａ〜５３Ｉ、制御回路５４、複数の発光素子（図示せず）が実装されている。プッシュスイッチ５３Ａ〜５３Ｉはそれぞれ、押圧パネル２３Ａ〜２３Ｉの下方に配置されている。押圧パネル２３Ａ〜２３Ｉを押圧すると、プッシュスイッチ５３Ａ〜５３Ｉの出力信号が変化する。なお、一つの押圧パネル２３Ａの下方に複数のプッシュスイッチ５３Ａを配置しても良い。
【００３１】
制御回路５４は、フォトセンサ５１、５２、プッシュスイッチ５３Ａ〜５３Ｉ、発光素子のそれぞれと、回路基板２５の配線を介して接続されている。制御回路５４は、フォトセンサ５１の出力信号の変化から回転部３１の回転位置を判定し、フォトセンサ５２の出力信号の変化から回転部４１の回転位置を判定する。このように、フォトセンサ５１、５２はそれぞれ、制御回路５４とともに、操作リング２１、２２の回転操作を判定する回転検出センサとして機能する。
【００３２】
また、制御回路５４は、検出された回転位置に基づき、表示装置２４の第１部分６１Ａの表示を変更する。すなわち、制御回路５４は回転検出センサであるフォトセンサ５２の出力に基づき、第１部分６１Ａの表示を変化させる。例えば、エアコンの設定温度を変更するモードの場合、この設定温度を検出された回転位置に基づき変更する。このように、第１部分６１Ａの表示は、操作リング２１への回転操作に連動して変化する。
【００３３】
また、制御回路５４は、プッシュスイッチ５３Ａ〜５３Ｉの出力信号の変化に基づき、押圧パネル２３Ａ〜２３Ｉのいずれが押圧されたのかを判定する。この判定結果に基づき、制御回路５４は表示装置２４の表示を変化させ、発光素子により押圧パネル２３Ａ〜２３Ｉのうち押圧されたパネルを照光する。
【００３４】
このように構成された操作パネル装置１００は図５に示すように、車両において、例えば、運転席と助手席の間に配置される。図５は操作パネル装置１００の配置を示す図であり、インストルメントパネル１０１に配置されたカーナビゲーションシステムなどに用いる車両用ディスプレイ１０２の下方のセンターコンソール１０３に配置された場合を一例として示している。
【００３５】
運転者は、操作リング２２を用いて操作パネル装置１００を操作し、助手席の同乗者は操作リング２１を用いて操作する。運転席及び助手席の双方に対して二つの操作リング２１、２２が準備されているので、操作するユーザに近い位置で操作パネル装置１００を操作することができ、便利である。
【００３６】
なお、上述の説明では二つの操作リング２１、２２を有する操作パネル装置１００について説明したが、操作リングは少なくとも一つ有していればよく、また三つ以上でもよい。
【００３７】
また上記の説明では、フォトセンサ５１、５２を用いて操作リング２１、２２の回転位置を検出しているが、静電センサまたは磁界センサを回転検出センサとして用いても良く、操作リング２１、２２の回転位置を検出できれば適宜変更が可能である。
【００３８】
ここで、磁界センサを用いる場合の構成の一例について説明する。図６は磁界センサ１５１Ａ、１５１Ｂ、１５２Ａ、１５２Ｂを有する操作パネル装置２００の分解斜視図である。図７は回転部１３１の破断斜視図である。図８は回転部１３１に固定された着磁プレート１７１の着磁状態を示す図である。
【００３９】
図６において、磁界センサ１５１Ａ、１５１Ｂ、１５２Ａ、１５２Ｂは、回路基板１２５上に配置されている。磁界センサ１５１Ａ、１５１Ｂ上に操作リング１２１が配置され、磁界センサ１５２Ａ、１５２Ｂ上に操作リング１２２が配置されている。また、表示装置２４は、磁界センサ１５１Ａ、１５１Ｂ、１５２Ａ、１５２Ｂと、操作リング１２１、１２２の間に配置されている。
【００４０】
操作リング１２１は回転部１３１と固定部１３４とを有し、操作リング１２２は回転部１４１と固定部１４４とを有する。図７は回転部１３１を下方から見た斜視図であり、回転部１３１は着磁プレート１７１を有する。
【００４１】
図７に示すように、回転部１３１には回転部３１と同様にガイド溝３１Ａが設けられ、ガイド溝３１Ａの内周壁の全周に亘って節度山部３１Ｂが設けられている。着磁プレート１７１は、節度山部３１Ｂの、図７における上面に設けられ、図６に示す構成において、固定部１３４、パネル２３、表示装置２４を介して回路基板１２５上の磁界センサ１５１Ａ、１５１Ｂに対向している。
【００４２】
着磁プレート１７１には、図８で示すようにＮ極とＳ極とが交互に着磁されている。なお、図８はＮ極、Ｓ極が実際に色分けされているわけではないが、着磁範囲を理解しやすいように示している。
【００４３】
ユーザが回転部１３１を回転させると、着磁プレート１７１が回転し、磁界センサ１５１Ａ、１５１Ｂが検出する磁界が変化する。磁界センサ１５１Ａ、１５１Ｂの検出する磁界がＨiとＬｏとの間で切り替わるタイミングは、磁界センサ１５１Ａと磁界センサ１５１Ｂとで異なる。すなわち磁界センサ１５１Ａ、１５１Ｂの検出する磁界には位相差がある。この位相差により、回転部１３１の回転量と回転方向が検出される。このように着磁プレート１７１と、磁界センサ１５１Ａ、１５１Ｂと制御回路５４とは回転検出センサとして機能し、磁界センサ１５１Ａ、１５１Ｂの入力の差異に基づき操作リング１２１の回転操作を判定する。
【００４４】
磁界センサ１５１Ａ、１５１Ｂを用いることで、フォトセンサ５１、５２を用いた場合と比べ、回路基板１２５上で磁界センサ１５１Ａ、１５１Ｂを配置する位置の自由度が高くなる。フォトセンサ５１、５２を用いた場合は、光を通過させる必要性が有り表示装置２４の下には配置できない。しかしながら、磁界センサ１５１Ａ、１５１Ｂの磁界は表示装置２４を通過できるため、表示装置２４の下方であっても配置できる。なお、着磁プレート１７１に対向する磁界センサは３つ以上であってもよい。
【００４５】
操作リング１２２は操作リング１２１と同様なので説明を割愛する。
【００４６】
なお、図１、図２では、操作リング２１、２２の内側に押圧パネル２３Ｆ〜２３Ｉを配置した構成について説明した。これ以外に、操作リング２１、２２の内側に押圧パネルを配置せず、操作リング２１、２２の内側の領域全体と表示装置２４を重ねても良い。これにより操作リング２１、２２の内側に数字や記号等をより大きく表示することができる。
【００４７】
以上のように、操作リング２１、２２の下方に配置された表示装置２４は、操作リング２１、２２の内外を跨ぐように配置されている。これにより、表示装置２４の第１部分６１Ａ、６１Ｃは操作リング２１、２２内で大きくできるため、視認性が高く、ユーザが操作リング２１、２２を操作しやすい。
【００４８】
また、操作リング２１、２２を配置することにより、運転席、助手席の搭乗者それぞれから操作しやすい。
【００４９】
また、操作リング２１は、回転部３１と、ボール３２Ａ、３２Ｂと、バネ３３Ａ、３３Ｂと、固定部３４を有している。そして、回転部３１に節度山部３１Ｂが設けられ、節度山部３１Ｂに対しバネ３３Ａ、３３Ｂがボール３２Ａ、３２Ｂを押し付けている。そのため、薄い構造で所定の節度感をユーザに与えることができる。
【産業上の利用可能性】
【００５０】
本発明による操作パネル装置は、視認性が高く、搭乗者が操作しやすいため、主に車載用のシステムとして有用である。
【符号の説明】
【００５１】
２１，２２，１２１，１２２    操作リング
２３    パネル
２３Ａ〜２３Ｉ    押圧パネル
２３Ｊ    孔
２４    表示装置
２５，１２５    回路基板
３１，４１，１３１，１４１    回転部
３２Ａ，３２Ｂ，４２Ａ，４２Ｂ    ボール
３３Ａ，３３Ｂ，４３Ａ，４３Ｂ    バネ
３４，４４，１３４，１４４    固定部
３１Ａ    ガイド溝
３１Ｂ    節度山部
３１Ｃ    窪み
３４Ａ    平板部
３４Ｂ    ガイドレール部
３４Ｃ    孔
３４Ｄ    窪み
５１，５２    フォトセンサ
５３Ａ〜５３Ｉ    プッシュスイッチ
５４    制御回路
６１    ディスプレイ
６１Ａ，６１Ｃ    第１部分
６１Ｂ    第２部分
６２    カバーレンズ
６２Ａ，６２Ｂ    第３部分
１００，２００    操作パネル装置
１０１    インストルメントパネル
１０２    車両用ディスプレイ
１０３    センターコンソール
１５１Ａ，１５１Ｂ，１５２Ａ，１５２Ｂ    磁界センサ
１７１    着磁プレート
【図１】
2015056437.tif 000003
【図２】
2015056437.tif 000004
【図３】
2015056437.tif 000005
【図４】
2015056437.tif 000006
【図５】
2015056437.tif 000007
【図６】
2015056437.tif 000008
【図７】
2015056437.tif 000009
【図８】
2015056437.tif 000010
【図９】
2015056437.tif 000011
【手続補正書】
【提出日】平成28年1月6日(2016.1.6)
【手続補正１】
【補正対象書類名】特許請求の範囲
【補正対象項目名】全文
【補正方法】変更
【補正の内容】
【特許請求の範囲】
【請求項１】
操作可能な表面と、前記表面の裏側の背面とを有する操作リングと、
前記操作リングの内側であり、かつ前記操作リングの内側における中心を含むように位置する第１部分と、前記操作リングの外側に位置する第２部分と、前記第１部分と前記第２部分とを繋ぐ第３部分とを有し、前記操作リングの背面に対向するように配置された表示装置と、を備え、
前記第１部分の表示が、前記操作リングへの回転操作に連動して変化する、
操作パネル装置。
【請求項２】
前記操作リングは複数の操作リングの１つであり、前記複数の操作リングを備えた、
請求項１記載の操作パネル装置。
【請求項３】
前記操作リングは、
リング状で、前記表示装置に対向する面には全周に亘るガイド溝が設けられた回転部と、
リング状の平板部と、前記平板部の全周に亘って、前記平板部から突出して前記ガイド溝内に位置するガイドレール部とを有する固定部と、
前記回転部の前記ガイド溝の内周壁と前記固定部の前記ガイドレール部の内周壁との間に収納され、前記回転部に接するボールと、
前記固定部の前記ガイドレール部の前記内周壁と前記ボールとの間に収納され、前記固定部に接する第１端と、前記ボールに接する第２端とを含む弾性体と、を有し、
前記回転部の前記ガイド溝の前記内周壁には全周に亘って凹凸が繰り返される節度山部が設けられ、前記弾性体は前記ボールを前記節度山部に対し押し当てている、
請求項１記載の操作パネル装置。
【請求項４】
前記操作リングの回転操作を判定する回転検出センサをさらに備えた、
請求項１記載の操作パネル装置。
【請求項５】
前記回転検出センサは、フォトセンサ、磁界センサ、静電センサのいずれかを有する、
請求項４記載の操作パネル装置。
【請求項６】
前記回転検出センサは、少なくとも二つの磁界センサを備え、前記磁界センサの入力の差異に基づき前記操作リングの回転操作を判定する、
請求項４記載の操作パネル装置。
【請求項７】
前記回転検出センサの出力に基づき、前記第１部分の表示を変化させる制御回路をさらに備えた、
請求項４記載の操作パネル装置。
【手続補正２】
【補正対象書類名】明細書
【補正対象項目名】００１０
【補正方法】変更
【補正の内容】
【００１０】
本発明の操作パネル装置は、操作リングと、表示装置とを有する。操作リングは操作可能な表面と、この表面の裏側の背面とを有する。表示装置は第１部分と、第２部分と、第３部分とを有し、操作リングの背面に対向するように配置されている。第１部分は操作リングの内側であり、かつ前記操作リングの内側における中心を含むように位置し、第２部分は操作リングの外側に位置する。第３部分は第１部分と第２部分とを繋いでいる。第１部分の表示は、操作リングへの回転操作に連動して変化する。
【国際調査報告】
2015056437.tif 000012
2015056437.tif 000013
2015056437.tif 000014
2015056437.tif 000015